(57)【要約】【課題】給電路を介して負荷に電力を供給する電力供給制御装置において、給電路の選定を適正化する技術を提供すること。【解決手段】電力供給制御装置は、電源から負荷への負荷電流の供給のオン・オフを切替えるスイッチ回路のオン・オフを制御する制御部を備える。制御部は、動作指示をスイッチ入力検出部から受け取った際に、電圧検出部から受け取った電源電圧値と、予め記憶部に保存された負荷電流値とに基づいて、スイッチ回路をオンさせた場合に電源電圧値が許容電圧値以下に低下するか否かを判定する判定処理（Ｓ３０、Ｓ４０）と、判定処理において、電源電圧値が許容電圧値以下に低下しないと判定した場合に、スイッチ回路をオンさせ、電源電圧値が前記許容電圧値以下に低下すると判定した場合に、スイッチ回路をオンさせない、スイッチ制御処理（Ｓ５０、Ｓ８０）と、を実行する。【選択図】図２
2019170002.tif 000002
【特許請求の範囲】
【請求項１】
電源から負荷へ電力を供給する給電路に接続され、前記電源から前記負荷への電力供給を制御する電力供給制御装置であって、
前記給電路に接続され、前記電源から前記負荷への負荷電流の供給のオン・オフを切替えるスイッチ回路と、
前記電源の電源電圧値を検出する電圧検出部と、
前記負荷電流を検出する電流検出部と、
前記負荷電流の値である負荷電流値を保存する記憶部と、
ユーザによる前記負荷の動作指示を行うユーザスイッチに接続され、前記ユーザスイッチからのスイッチ信号の入力を検出するスイッチ入力検出部と、
前記スイッチ回路のオン・オフを制御する制御部と、を備え、
前記制御部は、
前記動作指示を前記スイッチ入力検出部から受け取った際に、前記電圧検出部から受け取った前記電源電圧値と、予め前記記憶部に保存された前記負荷電流値とに基づいて、前記スイッチ回路をオンさせた場合、前記電源電圧値が許容電圧値以下に低下するか否かを判定する判定処理と、
前記判定処理において、前記電源電圧値が前記許容電圧値以下に低下しないと判定した場合に、前記スイッチ回路をオンさせ、前記電源電圧値が前記許容電圧値以下に低下すると判定した場合に、前記スイッチ回路をオンさせない、スイッチ制御処理と、を実行する、電力供給制御装置。
【請求項２】
請求項１に記載の電力供給制御装置において、
前記制御部は、
前記スイッチ制御処理において前記スイッチ回路をオンさせた後において、前記電源電圧値が前記許容電圧値以下に低下したか否かを判定する電圧低下判定処理を、さらに実行する、電力供給制御装置。
【請求項３】
請求項１に記載の電力供給制御装置において、
前記制御部は、
前記スイッチ制御処理において前記スイッチ回路をオンさせない後において、前記電源電圧値が前記許容電圧値以上に上昇したか否かを判定する電圧上昇判定処理を、さらに実行する、電力供給制御装置。
【請求項４】
請求項１から請求項３の何れか一項に記載の電力供給制御装置において、
前記記憶部は、検出された前記負荷電流値の内、最大の負荷電流値を保存し、
前記制御部は、前記判定処理を、前記電源電圧値と、前記記憶部に保存された前記最大の負荷電流値とに基づいて実行する、電力供給制御装置。
【請求項５】
請求項１から請求項４の何れか一項に記載の電力供給制御装置において、
前記記憶部は、前記電源電圧と前記負荷電流との関係を示すマップであって、前記スイッチ回路をオンさせるオン領域と、前記スイッチ回路をオンさせないオン不可領域とを含むマップを保存し、
前記制御部は、前記判定処理を、前記マップを参照して行う、電力供給制御装置。
【請求項６】
請求項５に記載の電力供給制御装置において、
前記記憶部は、前記オン領域と前記オン不可領域とが異なる複数のマップを保存し、
前記制御部は、前記判定処理を実行する際に、複数のマップのうちの一つのマップを参照して行う、電力供給制御装置。
【請求項７】
請求項６に記載の電力供給制御装置において、
前記複数のマップは、前記電源の経年変化に応じた複数のマップであり、
前記制御部は、前記判定処理を、前記電源の経年変化に応じた前記複数のマップうちの一つのマップを参照して行う、電力供給制御装置。
【請求項８】
請求項１から請求項７の何れか一項に記載の電力供給制御装置において、
前記負荷は複数の負荷によって構成され、
前記スイッチ回路は各負荷に対応して設けられ、
前記スイッチ入力検出部は、各負荷に対応したユーザスイッチからのスイッチ信号の入力を検出し、
前記記憶部は、前記負荷電流値として、各負荷に対応した負荷電流値と、複数の負荷による負荷電流値を合計した総負荷電流値とを保存し、
前記制御部は、判定処理において、前記電圧検出部から受け取った前記電源電圧値と、予め前記記憶部に保存された、各負荷電流値と前記総負荷電流値とに基づいて、動作指示を行けた負荷に対応したスイッチ回路をオンさせた場合、前記電源電圧値が許容電圧値以下に低下するか否かを判定する、電力供給制御装置。
【発明の詳細な説明】
【技術分野】
【０００１】
本明細書に開示される技術は、電力供給制御装置に関し、詳しくは、負荷に電力を供給する電源を許容範囲で使用できるように、電源から負荷への電力供給を制御する技術に関する。
【背景技術】
【０００２】
従来、負荷に電力を供給する電源を許容範囲で使用できるように、電源から負荷への電力供給を制御する技術として、例えば、特許文献１に記載された技術が知られている。特許文献１では、負荷電流値に基づき総電流値を検出する電源マネジメントユニットが設けられ、電源マネジメントユニットは、総電流値が閾値を超えている場合、所定の優先順位に基づいて、動作優先順位の低い負荷から停止させる。それによって、総電流値に異常が発生した場合に、全ての負荷の動作が停止することを抑制しつつ、総電流値を許容値に戻す技術が開示されている。
【先行技術文献】
【特許文献】
【０００３】
【特許文献１】特開２０１２−２００１００号公報
【発明の概要】
【発明が解決しようとする課題】
【０００４】
しかしながら、上記、特許文献１に記載された技術では、電源マネジメントユニットに不具合が生じた場合、負荷電流を制御できなくなる虞がある。負荷電流を制御できなくなると、特に電源がバッテリである場合、バッテリ上がりの可能性や、負荷をオフするまでにバッテリ電圧が低下する可能性が懸念される。そのため、電源マネジメントユニットを備えない簡易な構成によって、負荷に電力を供給する電源を許容範囲で使用できるように、負荷への電力供給を制御できる技術が所望されていた。
そこで、本明細書に開示される技術は、簡易な構成によって、電源から負荷への電力供給を電源の許容範囲内で行える電力供給制御装置を提供する。
【課題を解決するための手段】
【０００５】
本明細書に開示される電力供給制御装置は、電源から負荷へ電力を供給する給電路に接続され、前記電源から前記負荷への電力供給を制御する電力供給制御装置であって、前記給電路に接続され、前記電源から前記負荷への負荷電流の供給のオン・オフを切替えるスイッチ回路と、前記電源の電源電圧値を検出する電圧検出部と、前記負荷電流を検出する電流検出部と、前記負荷電流の値である負荷電流値を保存する記憶部と、ユーザによる前記負荷の動作指示を行うユーザスイッチに接続され、前記ユーザスイッチからのスイッチ信号の入力を検出するスイッチ入力検出部と、前記スイッチ回路のオン・オフを制御する制御部と、を備え、前記制御部は、前記動作指示を前記スイッチ入力検出部から受け取った際に、前記電圧検出部から受け取った前記電源電圧値と、予め前記記憶部に保存された前記負荷電流値とに基づいて、前記スイッチ回路をオンさせた場合、前記電源電圧値が許容電圧値以下に低下するか否かを判定する判定処理と、前記判定処理において、前記電源電圧値が前記許容電圧値以下に低下しないと判定した場合に、前記スイッチ回路をオンさせ、前記電源電圧値が前記許容電圧値以下に低下すると判定した場合に、前記スイッチ回路をオンさせない、スイッチ制御処理と、を実行する。
本構成によれば、制御部は、検出された電源電圧値と、予め記憶部に保存された負荷電流値とに基づいて、負荷に電力を供給するスイッチ回路をオンさせた場合に電源電圧値が許容電圧値以下に低下するか否かを判定し、電源電圧値が許容電圧値以下に低下すると判定した場合に、スイッチ回路をオンさせない。それによって、電源マネジメントユニットを備えることなく、電源の許容範囲内で行える。すなわち、本構成の電力供給制御装置によれば、簡易な構成によって電源から負荷への電力供給を電源の許容範囲内で行える。
【０００６】
上記電力供給制御装置において、前記制御部は、前記スイッチ制御処理において前記スイッチ回路をオンさせた後において、前記電源電圧値が前記許容電圧値以下に低下したか否かを判定する電圧低下判定処理を、さらに実行するようにしてもよい。
本構成によれば、スイッチ制御処理後において、負荷の変動あるいは設置環境の変化等によって電源電圧が許容電圧値以下に低下した場合、それに応じて、負荷をオフできる。すなわち、スイッチ制御処理においてスイッチ回路をオンする制御をして負荷をオン状態とした後において、電源電圧が許容電圧値以下に低下した場合、負荷をオフさせることができる。
【０００７】
また、上記電力供給制御装置において、前記制御部は、前記スイッチ制御処理において前記スイッチ回路をオンさせない後において、前記電源電圧値が前記許容電圧値以上に上昇したか否かを判定する電圧上昇判定処理を、さらに実行するようにしてもよい。
本構成によれば、スイッチ制御処理後において、負荷の変動あるいは設置環境の変化等によって電源電圧が許容電圧値以上に上昇した場合、それに応じて、負荷をオンできる。すなわち、スイッチ制御処理においてスイッチ回路をオンさせない制御をして負荷をオフ状態とした後において、電源電圧が許容電圧値以上に上昇した場合、負荷をオンさせることができる。
【０００８】
また、上記電力供給制御装置において、前記記憶部は、検出された前記負荷電流値の内、最大の負荷電流値を保存し、前記制御部は、前記判定処理を、前記電源電圧値と、前記記憶部に保存された前記最大の負荷電流値とに基づいて実行するようにしてもよい。
本構成によれば、判定処理を負荷電流値の最も厳しい条件のもとで行える。それによって、電源電圧の低下によって生じる不都合を確実に防止できる。例えば、電源が車両のバッテリである場合、エンスト（エンジン停止）を確実に防止できる。
【０００９】
また、上記電力供給制御装置において、前記記憶部は、前記電源電圧と前記負荷電流との関係を示すマップであって、前記スイッチ回路をオンさせるオン領域と、前記スイッチ回路をオンさせないオン不可領域とを含むマップを保存し、前記制御部は、前記判定処理を、前記マップを参照して行うようにしてもよい。
本構成によれば、判定処理を、マップを参照することによって、簡易に行える。
【００１０】
また、上記電力供給制御装置において、前記記憶部は、前記オン領域と前記オン不可領域が異なる複数のマップを保存し、前記制御部は、前記判定処理を実行する際に、複数のうち一つのマップを参照して行うようにしてもよい。
本構成によれば、複数のマップは、例えば、電源の経年変化や環境温度に応じた複数のマップとすることによって、より的確な判定処理を行える。
【００１１】
また、上記電力供給制御装置において、前記複数のマップは、前記電源の経年変化に応じた複数のマップであり、前記制御部は、前記判定処理を、前記電源の経年変化に応じた前記複数のマップうちの一つのマップを参照して行うようにしてもよい。
本構成によれば、電源の経年変化に応じた、例えば、経年による電源の内部抵抗の増加による電源電圧の低下に応じた負荷への電力供給制御を行える。
【００１２】
また、上記電力供給制御装置において、前記負荷は複数の負荷によって構成され、前記スイッチ回路は各負荷に対応して設けられ、前記スイッチ入力検出部は、各負荷に対応したユーザスイッチからのスイッチ信号の入力を検出し、前記記憶部は、前記負荷電流値として、各負荷に対応した負荷電流値と、複数の負荷による負荷電流値を合計した総負荷電流値とを保存し、前記制御部は、判定処理において、前記電圧検出部から受け取った前記電源電圧値と、予め前記記憶部に保存された、各負荷電流値と前記総負荷電流値とに基づいて、動作指示を行けた負荷に対応したスイッチ回路をオンさせた場合、前記電源電圧値が許容電圧値以下に低下するか否かを判定するようにしてもよい。
本構成によれば、制御部が複数の負荷の電力供給制御を行う場合において、簡易な構成によって電源から負荷への電力供給を電源の許容範囲内で行える。
【発明の効果】
【００１３】
本明細書に開示される電力供給制御装置によれば、簡易な構成によって、電源から負荷への電力供給を電源の許容範囲内で行える。
【図面の簡単な説明】
【００１４】
【図１】本発明に係る一実施形態の電力供給制御装置の概略的なブロック図
【図２】負荷への電力供給制御を示す概略的なフローチャート
【図３】電源電圧と負荷電流に係るオン領域とオン不可領域とを示す概略的なマップ
【図４】図３に示すマップの別の例を示すマップ
【発明を実施するための形態】
【００１５】
＜実施形態＞
本発明に係る一実施形態について図１から図３を参照しつつ説明する。
１．回路構成
電力供給制御装置１０は、図１に示されるように、バッテリ（「電源」の一例）Ｂａと負荷５０との間において、バッテリＢａから負荷５０へ電力を供給する給電路４１に接続され、バッテリＢａから負荷５０への電力供給を制御する。本実施形態では、電力供給制御装置１０は、自動車に搭載されるＥＣＵ（電子制御ユニット）であり、バッテリＢａは、自動車に搭載される車載用バッテリである。なお、電力供給制御装置および電源は、ＥＣＵおよび車載用バッテリに限られない。
【００１６】
電力供給制御装置１０は、電圧検出部１１、スイッチ入力検出部１２、制御部２０、ＩＰＳ（Ｉｎｔｅｌｌｉｇｅｎｔ  Ｐｏｗｅｒ  Ｓｗｉｔｃｈ）３０を含む。
【００１７】
ＩＰＳ３０は、半導体スイッチ素子（「スイッチ回路」の一例）３１、電流センサ（「電流検出部」の一例）３２、およびロジック回路３３を含む。半導体スイッチ素子３１は、本実施形態では、ｎチャネルＭＯＳＦＥＴによって構成され、バッテリＢａからの負荷５０への通電電流Ｉｒをオン／オフする。また、電流センサ３２は、センスＭＯＳＦＥＴによって構成されている。なお、スイッチ回路は半導体スイッチ素子に限られず、また、電流センサはセンスＭＯＳＦＥＴに限られない。
【００１８】
電流センサ３２は負荷電流Ｉｒと所定の比率関係を有するセンス電流Ｉｓｅｎｓを生成する。センス電流Ｉｓｅｎｓは、例えば、図示しない電流電圧変換回路によって、センス電流Ｉｓｅｎｓと比例関係を有するセンス電圧信号に変換され、センス電圧信号として制御部２０に供給される。
【００１９】
電圧検出部１１は、バッテリＢａの電源電圧Ｖｂを検出する。スイッチ入力検出部１２は、ユーザによる負荷５０の動作指示を行うユーザスイッチＳＷ１に接続され、ユーザスイッチＳＷ１からのスイッチ信号Ｓｓｗの電力供給制御装置１０への入力を検出する。
【００２０】
制御部２０は、例えば、ＣＰＵ２１およびメモリ（「記憶部」の一例）２２を含み、半導体スイッチ素子３１のオン・オフを制御する。メモリ２２は、ＣＰＵ２１が実行する各種プログラムや、プログラムの実行に伴う検出値、例えば負荷電流値等を保存する。
【００２１】
２．負荷への電力供給制御
次に、図２および図３を参照して、負荷５０への電力供給制御について説明する。電力供給制御は、制御部２０、詳しくは、ＣＰＵ２１によって、所定プログラムにしたがって実行される。
【００２２】
電力供給制御において、ＣＰＵ２１は、まず、ユーザスイッチＳＷ１の情報（スイッチ信号Ｓｓｗの情報）をスイッチ入力検出部１２から取得するとともに、電源電圧（バッテリ電圧）Ｖｂを電圧検出部１１から取得する（ステップＳ１０）。なお、図２には示されないが、ＣＰＵ２１は、バッテリ電圧Ｖｂを、所定時間毎に電圧検出部１１から取得する。
【００２３】
次いで、スイッチ信号Ｓｓｗの情報に基づいて、ユーザスイッチＳＷ１がオンされたか否かを判定する（ステップＳ２０）。ユーザスイッチＳＷ１がオンされていないと判定した場合（ステップＳ２０：ＮＯ）、ステップＳ１０の処理に戻る。一方、ユーザスイッチＳＷ１がオンされていると判定した場合（ステップＳ２０：ＹＥＳ）、ステップＳ３０の処理に移行する。
【００２４】
ステップＳ３０において、ＣＰＵ２１は、図３に示されるような、メモリ２２に保存された、負荷電流と電源電圧との関係を示す負荷電流−電源電圧マップ（以下、単に「マップ」と記載する）ＭＰを参照して（詳しくは、マップデータを参照して）、ユーザの指示にしたがって負荷５０をオンしてよいか否かを判定する。すなわち、ＣＰＵ２１は、電圧検出部１１から受け取ったバッテリ電圧値Ｖｂと、予めメモリ２２に保存された負荷電流値Ｉｒとに基づいて、半導体スイッチ素子３１をオンさせた場合、バッテリ電圧値Ｖｂが許容電圧値以下に低下するか否かを、マップＭＰを参照して、判定する。このように、マップＭＰを参照することによって、判定処理を簡易に行える。
【００２５】
マップＭＰは、負荷電流と電源電圧とによって決定されるポイントＰのデータ（座標データ）によって形成されており、半導体スイッチ素子３１をオンさせるオン領域ＡＲｏｎと、半導体スイッチ素子３１をオンさせないオン不可領域（ＮＧ領域）ＡＲｎｇとを含む。すなわち、オン領域ＡＲｏｎは、半導体スイッチ素子３１をオンして負荷電流値Ｉｒを流した際に、バッテリ電圧値Ｖｂが許容電圧値以下に低下しない領域である。一方、オン不可領域（ＮＧ領域）ＡＲｎｇは、半導体スイッチ素子３１をオンして負荷電流値Ｉｒを流した際に、バッテリ電圧値Ｖｂが許容電圧値以下に低下する領域である。
【００２６】
マップＭＰにおいて、オン領域ＡＲｏｎと、オン不可領域ＡＲｎｇとを区分する区分線ＬＢが破線で示される。オン領域ＡＲｏｎとオン不可領域ＡＲｎｇは、例えば、実験等によって事前に負荷５０に対応して決定される。その際、オン領域ＡＲｏｎは、負荷電流値Ｉｒによるバッテリ電圧値Ｖｂの電圧降下量を加味して決定される。なお、オン領域ＡＲｏｎとオン不可領域ＡＲｎｇとの区分は、区分線ＬＢに代えて、所定の電圧幅を有する区分領域によって行われてもよい。
【００２７】
なお、ステップＳ３０の処理において、負荷電流Ｉｒは、メモリ２２に保存された、今回以前の負荷オン時の電流値あるいは負荷５０に対応した初期値が使用される。ステップＳ３０の処理は、「判定処理」の一例である。
【００２８】
ステップＳ３０の判定処理において、負荷電流Ｉｒと電源電圧Ｖｂの関係（マップＭＰ上の位置）が、図３のポイントＰ１で示されるオン領域ＡＲｏｎにあると判定された場合（ステップＳ４０：ＹＥＳ）、ＣＰＵ２１は、半導体スイッチ素子３１をオンさせて負荷５０をオンする（ステップＳ５０）。具体的には、ＩＰＳ３０に半導体スイッチ素子３１をオンさせるオン信号を供給し、半導体スイッチ素子３１をオンさせて、負荷５０に電力を供給する。ステップＳ５０の処理は、「スイッチ制御処理」に相当する。
【００２９】
このとき、ＣＰＵ２１は、電流センサ３２によって検出されたセンス電流Ｉｓｅｎｓに基づいて負荷電流値Ｉｒ（負荷電流と負荷電流値には、同一の符号「Ｉｒ」が付される）を取得し、負荷電流情報としてメモリ２２に保存する（ステップＳ６０）。その際、本実施形態では、今回オン時の負荷電流値Ｉｒが今までの最大電流値Ｉｍａｘである場合にのみ、更新して保存される。すなわち、メモリ２２には、負荷電流情報として負荷電流値Ｉｒの最大値Ｉｍａｘが保存され、次回のオン時には、最大値ＩｍａｘがステップＳ３０の判定において使用される。
【００３０】
次いで、ＣＰＵ２１は、電圧検出部１１から取得したバッテリ電圧Ｖｂが、負荷５０のオン中にマップＭＰのオフ領域（ＮＧ領域）ＡＲｎｇまで低下したか否かを判定する（ステップＳ７０）。ステップＳ７０の処理は、「電圧低下判定処理」に相当する。
【００３１】
バッテリ電圧ＶｂがＮＧ領域ＡＲｎｇまで低下したと判定した場合（ステップＳ７０：ＹＥＳ）、ステップＳ８０に移行して、半導体スイッチ素子３１をオフして、負荷５０への電力供給を停止させて負荷５０をオフさせる。この場合のマップＭＰ上の推移が、図３のポイントＰ３からの矢印で示される。一方、バッテリ電圧ＶｂがＮＧ領域ＡＲｎｇまで低下していないと判定した場合（ステップＳ７０：ＮＯ）、負荷５０への電力供給を継続する。
【００３２】
このように、ステップＳ７０の処理によって、ステップＳ５０のスイッチ制御処理後において、負荷５０の変動あるいは設置環境の変化等によってバッテリ電圧Ｖｂが許容電圧値以下に低下した場合、それに応じて、負荷５０をオフできる。すなわち、スイッチ制御処理において半導体スイッチ素子３１をオンする制御をして負荷５０をオン状態とした後において、バッテリ電圧Ｖｂが許容電圧値以下に低下した場合、負荷５０をオフさせることができる。
【００３３】
また、ステップＳ３０の判定処理において、負荷電流Ｉｒと電源電圧Ｖｂの関係（マップＭＰ上の位置）が、図３のポイントＰ２で示されるオフ領域（ＮＧ領域）ＡＲｎｇにあると判定された場合（ステップＳ４０：ＮＯ）、ＣＰＵ２１は、ユーザのオン指示にもかかわらず、半導体スイッチ素子３１をオンさせず、負荷５０をオフ状態に維持する（ステップＳ８０）。具体的には、ＩＰＳ３０に半導体スイッチ素子３１をオンさせるオン信号を供給しない。それによって負荷５０への電力供給がなされない。ステップＳ８０の処理は、「スイッチ制御処理」に相当する。
【００３４】
次いで、ＣＰＵ２１は、電圧検出部１１から取得したバッテリ電圧Ｖｂが、負荷５０のオン中にマップＭＰのＮＧ領域ＡＲｎｇからオン領域ＡＲｏｎまで上昇したか否かを判定する（ステップＳ９０）。ステップＳ７０の処理は、「電圧上昇判定処理」に相当する。
【００３５】
バッテリ電圧Ｖｂがオン領域ＡＲｏｎまで上昇したと判定した場合（ステップＳ９０：ＹＥＳ）、ステップＳ５０に移行して、半導体スイッチ素子３１をオンして、負荷５０への電力供給を開始させて負荷５０をオンさせる。この場合のマップＭＰ上の推移が、図３のポイントＰ４からの矢印で示される。
【００３６】
一方、バッテリ電圧Ｖｂがオン領域ＡＲｏｎまで上昇していないと判定した場合（ステップＳ９０：ＮＯ）、負荷５０への電力供給を行わず、負荷５０をオフ状態に維持する。
【００３７】
このように、ステップＳ９０の処理によって、ステップＳ８０のスイッチ制御処理後において、負荷５０の変動あるいは設置環境の変化等によってバッテリ電圧Ｖｂが許容電圧値以上に上昇した場合、それに応じて、負荷５０をオンできる。すなわち、スイッチ制御処理において半導体スイッチ素子３１をオンしない制御をして負荷５０をオフ状態とした後において、バッテリ電圧Ｖｂが許容電圧値以上に上昇した場合、負荷５０をオンさせることができる。
【００３８】
３．実施形態の効果
制御部２０（ＣＰＵ２１）は、検出された電源電圧値Ｖｂと、予めメモリ２２に保存された負荷電流値Ｉｒとに基づいて、負荷５０に電力を供給する半導体スイッチ素子３１をオンさせた場合に電源電圧値Ｖｂが許容電圧値以下に低下するか否かを判定し、電源電圧値が許容電圧値以下に低下すると判定した場合に、半導体スイッチ素子３１をオンさせない。それによって、電源マネジメントユニットを備えることなく、バッテリＢａの許容電圧値以上で行える。すなわち、本実施形態の電力供給制御装置１０によれば、簡易な構成によってバッテリＢａから負荷５０への電力供給をバッテリＢａの許容範囲内で行える。
【００３９】
また、制御部２０は、ステップＳ３０の判定処理を、バッテリ電圧Ｖｂと、最大負荷電流値Ｉｍａｘとに基づいて実行する。この場合、図３のマップＭＰにおいて、バッテリ電圧Ｖｂが同一の場合、負荷電流値Ｉｒが大きいほど、マップ上のポイントＰがＮＧ領域ＡＲｎｇに位置することとなる。そのため、判定処理を負荷電流値Ｉｒの最も厳しい条件のもとで行える。それによって、バッテリ電圧Ｖｂの低下によって生じる不都合を確実に防止できる。例えば、車両のエンスト（エンジン停止）を確実に防止できる。
【００４０】
＜他の実施形態＞
本発明は上記記述及び図面によって説明した実施形態に限定されるものではなく、例えば次のような実施形態も本発明の技術的範囲に含まれる。
【００４１】
（１）上記実施形態においては、メモリ２２には、ステップＳ３０の判定処理で利用される負荷電流情報として、負荷電流値Ｉｒの最大値Ｉｍａｘが保存される例を示したが、これに限られない。例えば、負荷電流情報として、今回検出された負荷電流値Ｉｒが保存されてもよいし、あるいは最大値Ｉｍａｘより小さい所定値が保存されてもよい。
【００４２】
（２）上記実施形態では、図２のステップＳ３０の判定処理を、マップＭＰを参照し行う例を示したが、これに限られない。例えば、単に、電源電圧値Ｖｂと、予めメモリ２２に保存された負荷電流値Ｉｒとに基づいて行うようにしてもよい。この場合、負荷電流値Ｉｒによる電源電圧値Ｖｂの電圧降下量が事前に、あるいは学習によってメモリ２２等に保存されていればよい。
【００４３】
（３）上記実施形態では、図３に示すように、メモリ２２は、オン領域ＡＲｏｎとオン不可領域ＡＲｎｇとが一種類で一つのマップＭＰを保存し、一つのマップＭＰに基づいて、ＣＰＵ２１が判定処理を実行する例を示したが、これに限られない。例えば、図４に示されるように、オン領域ＡＲｏｎとオン不可領域ＡＲｎｇとが異なる複数（図４では２つ）のマップＭＰをメモリ２２に保存するようにし、判定処理を実行する際に、複数のマップＭＰの内のいずれかの一つのマップＭＰを参照して判定処理を実行するようにしてもよい。この場合、複数のマップＭＰは、例えば、電源Ｂａの経年変化に応じた、あるいは設置環境（温度等）に応じた複数のマップＭＰとすることによって、より適切な判定処理を行える。それによって、スイッチ回路のオン・オフ制御、すなわち、負荷５０への電力供給のオン・オフ制御を的確に行える。なお、図４においては、異なる区分線ＬＢ１、ＬＢ２によって、マップが、マップＭ１とマップＭ２の２種類あることを示している。
【００４４】
その際、複数のマップＭＰは、電源の経年変化に応じた複数のマップであり、制御部２０は、判定処理を、電源の経年変化に応じた複数のマップＭＰのうち１つのマップＭＰを参照して行うようにしてもよい。この場合、電源Ｂａの経年変化に応じた、例えば、経年による電源の内部抵抗の増加によって電源電圧Ｖｂが低下した場合において、より適切な判定処理を行える（図４の区分線ＬＢ１、ＬＢ２参照）。
【００４５】
（４）上記実施形態において、制御部２０が一個の負荷５０への電力供給制御を行う例を示したが、これに限られない。制御部２０が複数の負荷５０への電力供給制御を行ってもよい。その場合、ＩＰＳ３０（スイッチ回路３１、電流センサ３２）およびユーザスイッチＳＷは各負荷５０に対応して設けられ、スイッチ入力検出部１２は、各負荷５０に対応したユーザスイッチＳＷからのスイッチ信号Ｓｓｗの入力を検出するようにする。また、メモリ２２は、負荷電流値Ｉｒとして、各負荷に対応した負荷電流値Ｉｒと、複数の負荷による負荷電流値を合計した総負荷電流値とを保存し、制御部２０、判定処理において、電圧検出部１１から受け取った電源電圧値Ｖｂと、予めメモリ２２に保存された、各負荷電流値Ｉｒと総負荷電流値とに基づいて、動作指示を行けた負荷に対応したスイッチ回路３１をオンさせた場合、電源電圧値が許容電圧値以下に低下するか否かを判定するようにすればよい。
この場合、制御部２０が複数の負荷５０の電力供給制御を行う場合においても、簡易な構成によって電源Ｂａから複数の負荷５０への電力供給を電源Ｂａの許容範囲内で行うことができる。
【符号の説明】
【００４６】
１０…電力供給制御装置
１１…電圧検出部
１２…スイッチ入力検出部
２０…制御部
２１…ＣＰＵ（制御部）
２２…メモリ（記憶部）
３１…半導体スイッチ（スイッチ回路）
３２…電流センサ（電流検出部）
４０…給電路
ＡＲｎｇ…ＮＧ領域（オン不可領域）
ＡＲｏｎ…オン領域
Ｂａ…バッテリ（電源）
Ｉｒ…負荷電流
ＭＰ…電源電圧−負荷電流を示すマップ
ＳＷ１…ユーザスイッチ
Ｖｂ…バッテリ電圧（電源電圧）
【図１】
2019170002.tif 000003
【図２】
2019170002.tif 000004
【図３】
2019170002.tif 000005
【図４】
2019170002.tif 000006